(57)【要約】【課題】手を持ち替えることなく、頭髪を梳かしたり、頭髪に分け目を入れたりすることが可能な櫛を提供すること。【解決手段】この考案の櫛は、基部１に多数の櫛歯２が列設された櫛歯列を有するとともに、一端に櫛歯２と略同じ方向に延びる分け目形成部３を有しており、隣接する櫛歯２との間に櫛歯列における櫛歯２の間隔よりも大きな間隔が生じるように、分け目形成部３の先端側に肉盗み部４を有しているものとしている。前記分け目形成部３の先端部は、櫛歯２が延びる方向に関し櫛歯列Ａの先端ラインＬより突出したものとすることができる。【選択図】図１
0003132022.tif 000002
【実用新案登録請求の範囲】
【請求項１】
基部（１）に多数の櫛歯（２）が列設された櫛歯列（Ａ）を有するとともに、一端に櫛歯（２）と略同じ方向に延びる分け目形成部（３）を有しており、隣接する櫛歯（２）との間に櫛歯列（Ａ）における櫛歯（２）の間隔よりも大きな間隔が生じるように、分け目形成部（３）の先端側に肉盗み部（４）を有していることを特徴とする櫛。
【請求項２】
分け目形成部（３）の先端部が、櫛歯（２）が延びる方向に関し櫛歯列（Ａ）の先端ライン（Ｌ）より突出している請求項１記載の櫛。
【請求項３】
肉盗み部（４）を形成した分け目形成部（３）の内側面が、凹曲面部分（６）と、その下方の櫛歯（２）が延びる方向と略平行な部分（７）からなるものとしている請求項１又は２記載の櫛。
【考案の詳細な説明】
【技術分野】
【０００１】
この考案は、整髪などに用いられる櫛に関するものである。
【背景技術】
【０００２】
従来の整髪などに用いられる櫛としては、特許文献１に記載のようなものがある。この櫛は、基部（峰）に多数の櫛歯が列設されており、基部の両端は櫛歯と同じ長さで、隣接する櫛歯との間隔も櫛歯列における櫛歯の間隔と同じになっている。また、基部の他端側には、テール部が延設されており、櫛歯で頭髪を梳かし、テール部で頭髪に分け目を入れることができるようになっている。
【０００３】
しかし、この従来の櫛は、櫛歯とテール部の使用の切り替えの際に、手を持ち替える必要があり、頭髪を梳かした後の頭髪に分け目を入れる作業への移行がわずらわしいものであった。
【特許文献１】実用新案登録第３１１５０７８号公報
【考案の開示】
【考案が解決しようとする課題】
【０００４】
そこで、この考案は、手を持ち替えることなく、頭髪を梳かしたり、頭髪に分け目を入れたりすることが可能な櫛を提供することを課題とする。
【課題を解決するための手段】
【０００５】
この考案の櫛は、基部１に多数の櫛歯２が列設された櫛歯列Ａを有するとともに、一端に櫛歯２と略同じ方向に延びる分け目形成部３を有しており、隣接する櫛歯２との間に櫛歯列Ａにおける櫛歯２の間隔よりも大きな間隔が生じるように、分け目形成部３の先端側に肉盗み部４を有しているものとしている。
【０００６】
また、この考案の櫛は、前記分け目形成部３の先端部が、櫛歯２が延びる方向に関し櫛歯列Ａの先端ラインＬより突出したものとすることができる。
【０００７】
さらに、肉盗み部４を形成した分け目形成部３の内側面が、凹曲面部分６と、その下方の櫛歯２が延びる方向と略平行な部分７からなるものとすることができる。
【考案の効果】
【０００８】
この考案の櫛は、上述のような構成を有しており、分け目形成部３を利用して、手を持ち替えることなく、頭髪を梳かしたり、頭髪に分け目を入れたりすることが可能となっている。
【０００９】
また、前記分け目形成部３の先端部が、櫛歯２が延びる方向に関し櫛歯列Ａの先端ラインＬより突出したものとすれば、角度を少し変えるだけで分け目形成部３により頭髪を捉えることができ、櫛歯２が邪魔になりにくく、容易かつ正確に頭髪に分け目を入れることが可能となる。
【００１０】
さらに、肉盗み部４を形成した分け目形成部３の内側面が、凹曲面部分６と、その下方の櫛歯２が延びる方向と略平行な部分７からなるものとすれば、分け目形成部３でより確実に頭髪を捉えることが可能となる。
【考案を実施するための最良の形態】
【００１１】
以下、この考案の好適な実施形態を、図面を参照して説明する。
【００１２】
図１はこの考案の実施形態の櫛の正面図、図２は分け目形成部３の部分拡大斜視図、図３は櫛の使用状態を示す説明図である。
【００１３】
この櫛は、基部１に多数の櫛歯２が列設された櫛歯列Ａを有するとともに、一端に櫛歯２と略同じ方向に延びる分け目形成部３を有しており、隣接する櫛歯２との間に櫛歯列Ａにおける櫛歯２の間隔よりも大きな間隔が生じるように、分け目形成部３の先端側に肉盗み部４を有したものとしている。
【００１４】
この櫛は、適宜のプラスチックの一体成形により製造することができるが、材質や製造方法は特に限定されない。
【００１５】
基部１は、図１中左右方向に直線的に延びるとともに両端が略直角に曲がった形状で、その一端（図１中左端）を分け目形成部３としている。基部１の両端３，５間には、多数の櫛歯２からなる櫛歯列が形成されている。
【００１６】
基部１は、中央部分が図中下方に山状になり幅が大きくなっているが、両端３，５間にわたって同一幅でもよい。基部１の両端３，５は、いずれもその内側面（隣接する櫛歯２側の面）が基部１の延びる方向に対して直角に延び、外側面が内側に向かって傾斜したような形状となっている。
【００１７】
櫛歯２は、先端（図１中下側）に向かって幅及び厚みが細くなった棒状のもので、基部１の延びる方向に対して直角に延びている。一端側（図１中左側）の半分の櫛歯２は太い径とし、他端側（図１中右側）の半分の櫛歯２は径が細いものとしている。各部分の櫛歯２は等間隔で多数設けられており、それぞれ櫛歯列Ａ，Ｂを構成している。
【００１８】
すべての櫛歯２は、先端部が１つの直線、すなわち先端ラインＬの上にそろって位置するようにしている。なお、一端側の半分の櫛歯列Ａの先端ラインＬと他端側の半分の櫛歯列Ｂの先端ラインは必ずしも一致していなくてもよい。
【００１９】
一端の分け目形成部３は、櫛歯２が延びる方向に関し櫛歯列の先端ラインＬより０．５ｍｍ程度突出する長さとしているが、他端５は、その先端部が櫛歯列の先端ラインＬ上に位置する長さとしている。なお、一端側の半分の櫛歯列Ａの先端ラインＬと他端側の半分の櫛歯列Ｂの先端ラインが一致しない場合、分け目形成部３は、隣接する櫛歯列すなわち前記一端側の半分の櫛歯列Ａの先端ラインＬより突出したものとすればよい。
【００２０】
分け目形成部３は、先端側に肉盗み部４が形成されており、その先端部は他端５の先端部よりも細くなった形状としている。この構成により、分け目形成部３と隣接する櫛歯２との間には、当該櫛歯２が属する前記一端側の半分の櫛歯列Ａにおける櫛歯の間隔よりも大きな間隔が生じたものとなっている。
【００２１】
肉盗み部４は、分け目形成部３の先端側の長さ５〜１０ｍｍ程度にわたって形成するとよい。分け目形成部３の先端部と隣接する櫛歯２との間隔は、前記一端側の半分の櫛歯列Ａ間において隣り合う櫛歯２の両先端部間の間隔の１．２５倍程度とするとよい。
【００２２】
肉盗み部４を形成した分け目形成部３の内側面は、図２にあらわれている様に、凹曲面部分６と、その下方の櫛歯２が延びる方向と略平行な部分７からなる。具体的には、前記凹曲面部分６は一方向（図２中の上下方向）に関して緩やかにカーブした面で、前記部分７はほぼ平坦な面であり、前記両部分６，７からなる内側面はテーパー状に下方に向かって幅が狭くなったものとしている。分け目形成部３はこの形状によって頭髪を確実に捉えることが可能となっている。
【００２３】
なお、この実施形態の櫛は、特許文献１に記載の櫛のようにテール部を有しないものとしているが、テール部を有するものとしてもよい。また、基部１の両端３，５及び櫛歯２の延びる方向は、基部１の延びる方向に対して直角でなくともよい。
【００２４】
次に、この櫛の使用方法について説明する。この櫛で頭髪を梳く場合は、通常の櫛と同様に櫛歯列Ａ，Ｂを使用すればよい。頭髪に分け目を入れるには、頭髪から櫛歯列Ａ，Ｂをはずし、図３に示したように、一端の分け目形成部３を利用する。この際、櫛を手で持ち替えるような必要はなく、単に頭髪に対して櫛の角度を変えるだけでよい。
【００２５】
また、分け目形成部３と隣接する櫛歯２との間には、櫛歯列における櫛歯２の間隔よりも大きな間隔があり、しかも、分け目形成部３が、櫛歯２が延びる方向に関し櫛歯列の先端ラインＬより突出しているため、角度を少し変えるだけで分け目形成部３により頭髪を確実に捉えることができ、櫛歯２が邪魔になりにくく、容易かつ正確に頭髪に分け目を入れることができる。
【００２６】
以上のように、この櫛を使用すると、頭髪を梳かす段階から分け目を形成する段階へ移行する際に、櫛を手で持ち替えるようなわずらわしい作業が不要となり、櫛を落下させたりすることも防止され、スムーズに整髪を行うことが可能となる。
【図面の簡単な説明】
【００２７】
【図１】この考案の実施形態の櫛の正面図である。
【図２】この考案の実施形態の櫛の分け目形成部の部分拡大斜視図である。
【図３】この考案の実施形態の櫛の使用状態を示す説明図である。
【符号の説明】
【００２８】
１  基部
２  櫛歯
３  分け目形成部
４  肉盗み部
６  凹曲面部分
７  櫛歯が延びる方向と略平行な部分
Ａ  櫛歯列
Ｌ  先端ライン
【図１】
0003132022.tif 000003
【図２】
0003132022.tif 000004
【図３】
0003132022.tif 000005